(57)【要約】      （修正有）【課題】３次元状に絡み合った樹脂繊維の端部の飛び出しを抑制し得るマットを提供する。【解決手段】使用者が横たわるためのマットである。マットは、樹脂繊維により形成され、かつ、空気の流路を有するクッション体と、クッション体の流路に空気を流通させるファン装置と、クッション体の少なくとも一部を覆う枠体とを含んでいる。クッション体は、使用者が横たわるための上面と、上面に交差する向きに延びる端面とを含んでいる。枠体は、端面の少なくとも一部を覆う端面被覆部を含んでいる。【選択図】なし【特許請求の範囲】
【請求項１】
使用者が横たわるためのマットであって、
樹脂繊維により形成され、かつ、空気の流路を有するクッション体と、前記クッション体の前記流路に空気を流通させるファン装置と、前記クッション体の少なくとも一部を覆う枠体とを含み、
前記クッション体は、前記使用者が横たわるための上面と、前記上面に交差する向きに延びる端面とを含み、
前記枠体は、前記端面の少なくとも一部を覆う端面被覆部を含む、
マット。
【請求項２】
前記枠体は、低通気性又は非通気性である、請求項１に記載のマット。
【請求項３】
前記枠体は、布材を含む、請求項１又は２に記載のマット。
【請求項４】
前記枠体は、発泡樹脂を含む、請求項１ないし３のいずれかに記載のマット。
【請求項５】
前記発泡樹脂は、ポリウレタンを含む、請求項４に記載のマット。
【請求項６】
前記枠体は、前記上面の少なくとも一部を覆う上面被覆部を含む、請求項１ないし５のいずれかに記載のマット。
【請求項７】
前記枠体は、前記上面の反対側の下面の少なくとも一部を覆う下面被覆部を含む、請求項１ないし６のいずれかに記載のマット。
【請求項８】
前記下面被覆部は、前記下面の全域を覆う、請求項７に記載のマット。
【請求項９】
前記上面には、前記流路に空気を流通可能な開口部が設けられ、
前記開口部と前記ファン装置とは、前記使用者が前記上面に横たわったときの両側方の対向する位置に配されている、請求項１ないし８のいずれかに記載のマット。
【請求項１０】
前記クッション体は、３次元状に絡み合った前記樹脂繊維により形成され、
前記流路は、前記樹脂繊維の間に形成される、請求項１ないし９のいずれかに記載のマット。
【請求項１１】
前記クッション体は、波状に成形された前記樹脂繊維の複数の層により形成され、
前記流路は、前記複数の層の間に形成された管状空間及び最も前記上面側の層に形成された凹溝の少なくとも１つにより形成される、請求項１ないし９のいずれかに記載のマット。
【発明の詳細な説明】
【技術分野】
【０００１】
本発明は、使用者が横たわるためのマットに関する。
【背景技術】
【０００２】
従来、使用者が横たわるためのマットが知られている。例えば、下記特許文献１には、３次元状に絡み合った樹脂製の断線細線材の間に空気の流路が形成されたマットが提案されている。
【先行技術文献】
【特許文献】
【０００３】
【特許文献１】特開２００９−１０６３８０号公報
【発明の概要】
【発明が解決しようとする課題】
【０００４】
しかしながら、特許文献１のマットは、樹脂繊維の端部が飛び出すことがあり、使用者が上面に横たわったときに弾性変形する端面において、その傾向が顕著であった。飛び出した樹脂繊維の端部は、マットのカバー体を突き破り、使用者が怪我をするおそれがあった。
【０００５】
本発明は、以上のような実状に鑑み案出されたもので、樹脂繊維の端部の飛び出しを抑制し得るマットを提供することを主たる目的としている。
【課題を解決するための手段】
【０００６】
本発明は、使用者が横たわるためのマットであって、樹脂繊維により形成され、かつ、空気の流路を有するクッション体と、前記クッション体の前記流路に空気を流通させるファン装置と、前記クッション体の少なくとも一部を覆う枠体とを含み、前記クッション体は、前記使用者が横たわるための上面と、前記上面に交差する向きに延びる端面とを含み、前記枠体は、前記端面の少なくとも一部を覆う端面被覆部を含むことを特徴とする。
【０００７】
本発明に係るマットにおいて、前記枠体は、低通気性又は非通気性であるのが望ましい。
【０００８】
本発明に係るマットにおいて、前記枠体は、布材を含むのが望ましい。
【０００９】
本発明に係るマットにおいて、前記枠体は、発泡樹脂を含むのが望ましい。
【００１０】
本発明に係るマットにおいて、前記発泡樹脂は、ポリウレタンを含むのが望ましい。
【００１１】
本発明に係るマットにおいて、前記枠体は、前記上面の少なくとも一部を覆う上面被覆部を含むのが望ましい。
【００１２】
本発明に係るマットにおいて、前記枠体は、前記上面の反対側の下面の少なくとも一部を覆う下面被覆部を含むのが望ましい。
【００１３】
本発明に係るマットにおいて、前記下面被覆部は、前記下面の全域を覆うのが望ましい。
【００１４】
本発明に係るマットにおいて、前記上面には、前記流路に空気を流通可能な開口部が設けられ、前記開口部と前記ファン装置とは、前記使用者が前記上面に横たわったときの両側方の対向する位置に配されているのが望ましい。
【００１５】
本発明に係るマットにおいて、前記クッション体は、３次元状に絡み合った前記樹脂繊維により形成され、前記流路は、前記樹脂繊維の間に形成されるのが望ましい。
【００１６】
本発明に係るマットにおいて、前記クッション体は、波状に成形された前記樹脂繊維の複数の層により形成され、前記流路は、前記複数の層の間に形成された管状空間及び最も前記上面側の層に形成された凹溝の少なくとも１つにより形成されるのが望ましい。
【発明の効果】
【００１７】
本発明のマットは、樹脂繊維により形成され、かつ、空気の流路を有するクッション体と、前記クッション体の前記流路に空気を流通させるファン装置と、前記クッション体の少なくとも一部を覆う枠体とを含んでいる。このようなマットは、クッション体の内部に空気を流通させることができ、マットに横たわる使用者の快適性を向上させることができる。
【００１８】
本発明のマットにおいて、クッション体は、使用者が横たわるための上面と、前記上面に交差する向きに延びる端面とを含み、枠体は、前記端面の少なくとも一部を覆う端面被覆部を含んでいる。このような枠体は、上面に使用者が横たわったときに大きく変形してクッション体を構成する樹脂繊維の端部の飛び出しが発生し易い端面を覆っているので、樹脂繊維の端部の飛び出しを効果的に抑制することができる。このため、本発明のマットは、樹脂繊維の端部の飛び出しを抑制することができる。
【図面の簡単な説明】
【００１９】
【図１】本発明のマットの一実施形態を示す分解斜視図である。
【図２】図１のマットの斜視図である。
【図３】第２の実施形態のマットの斜視図である。
【図４】図３のＡ−Ａ線の断面図である。
【図５】第３の実施形態のマットの斜視図である。
【発明を実施するための形態】
【００２０】
以下、本発明の実施の一形態が図面に基づき説明される。
図１は、本実施形態のマット１を示す分解斜視図である。図１に示されるように、マット１は、例えば、使用者が横たわるためのベッド等に好適に用いられる。本実施形態のマット１は、空気の流路を有するクッション体２と、クッション体２の流路に空気を流通させるファン装置３とを含んでいる。このようなマット１は、クッション体２の内部に空気を流通させることができ、マット１に横たわる使用者の快適性を向上させることができる。
【００２１】
本実施形態のクッション体２は、樹脂繊維で形成されている。樹脂繊維は、例えば、ポリエチレン、ポリプロピレン、ポリエステル等から適宜選択された材料により構成されている。このようなクッション体２は、適度な弾性を有しつつ、空気の流路を形成することができ、使用者の快適性を向上させることができる。
【００２２】
クッション体２は、例えば、使用者が横たわるための上面２ａと、上面２ａに交差する向きに延びる端面２ｂとを含んでいる。このようなクッション体２は、端面２ｂの厚さにより、良好な弾性を確保することができ、使用者の快適性をより向上させることができる。
【００２３】
図２は、図１のマット１の斜視図である。図１及び図２に示されるように、本実施形態のマット１は、クッション体２を覆う枠体４を含んでいる。枠体４は、端面２ｂの少なくとも一部を覆う端面被覆部４ａを含むのが望ましい。このような枠体４は、上面２ａに使用者が横たわったときに大きく変形してクッション体２を構成する樹脂繊維の端部の飛び出しが発生し易い端面２ｂを覆っているので、樹脂繊維の端部の飛び出しを効果的に抑制することができる。このため、本実施形態のマット１は、クッション体２を形成する樹脂繊維の端部の飛び出しを抑制することができる。
【００２４】
より好ましい態様として、マット１は、クッション体２を収納するカバー体５を含んでいる。カバー体５は、例えば、良好な通気性を有する布材により形成されている。カバー体５は、例えば、線ファスナー等の開閉機構５ａを有している。カバー体５は、枠体４を含むクッション体２を、開閉機構５ａ側から収納するのが望ましい。このようなカバー体５は、横たわる使用者の触感を良好なものとし、また、取り外して洗濯することが容易であることから、使用者の快適性をより向上させることができる。
【００２５】
本実施形態のクッション体２は、上面２ａの反対側の下面２ｃを含んでいる。上面２ａ及び下面２ｃは、それぞれ、矩形状に形成されるのが望ましい。本実施形態の端面２ｂは、上面２ａと下面２ｃとを連結している。このようなクッション体２は、ベッドに用いられるのに適した形状を提供することができる。ここで、矩形状とは、全体として略矩形状であることを意味し、例えば、角部が曲線状になっているものや、ファン装置３の取付位置に切欠きが設けられているものを含んでいる。
【００２６】
図２に示されるように、本実施形態の上面２ａには、クッション体２の流路に空気を流通可能な開口部２ｄが設けられている。開口部２ｄは、上面２ａのうち、枠体４に覆われていない部分で構成されるのが望ましい。このような開口部２ｄは、他の構成部材を必要とせず、クッション体２の内部に空気の流路を形成することができる。
【００２７】
上面２ａ及び下面２ｃが矩形状である場合、端面２ｂは、例えば、第１端面２ｂ１、第２端面２ｂ２、第３端面２ｂ３及び第４端面２ｂ４を含んでいる。第１端面２ｂ１は、例えば、使用者が横たわったときの頭部側である。第２端面２ｂ２は、例えば、使用者が横たわったときの脚部側である。この場合、第３端面２ｂ３及び第４端面２ｂ４は、それぞれ、使用者が横たわったときの側方側である。
【００２８】
クッション体２は、例えば、３次元状に絡み合った樹脂繊維により形成されている。この場合、クッション体２の空気の流路は、樹脂繊維の間に形成されるのが望ましい。このようなクッション体２は、流通する空気を拡散することができ、上面２ａの温度分布を一律にすることができる。
【００２９】
クッション体２は、例えば、波状に成形された樹脂繊維の複数の層により形成されていてもよい。この場合、クッション体２の空気の流路は、複数の層の間に形成された管状空間及び最も上面２ａ側の層に形成された凹溝の少なくとも１つにより形成されるのが望ましい。このようなクッション体２は、空気の流路の通気抵抗が小さく、効率よく空気を流通させることができる。
【００３０】
ファン装置３は、少なくとも１つ、本実施形態では１つ設けられている。ファン装置３は、例えば、クッション体２の流路の空気を吸引している。本実施形態のファン装置３は、第４端面２ｂ４の第２端面２ｂ２側に設けられている。このようなファン装置３は、使用者の側方に設けられているので、使用者が使用する寝具等により覆われるおそれが小さく、ファン装置３の効率を向上させ得る。また、このファン装置３は、頭部から離れた位置に設けられているので、使用者が横たわったときの頭部付近における作動音が小さく、使用者の快適性をより向上させることができる。
【００３１】
ファン装置３は、例えば、複数設けられていてもよい。ファン装置３は、例えば、クッション体２の流路に空気を供給するものであってもよい。このようなファン装置３は、マット１の大きさや用途に応じて適宜変更することができる。
【００３２】
枠体４は、カバー体５の布材よりも通気性が小さい低通気性であるのが望ましい。枠体４は、例えば、空気の流通を阻止する非通気性であってもよい。本実施形態の枠体４は、端面被覆部４ａが端面２ｂのファン装置３が取り付けられる部分以外の全域を覆っている。このような枠体４は、端面２ｂから空気が流通することを抑制し、クッション体２の流路に効率よく空気を流通させることができる。なお、端面２ｂには、例えば、部分的に開口部２ｄが設けられていてもよい。
【００３３】
枠体４は、布材を含むのが望ましい。本実施形態の枠体４は、低通気性又は非通気性の布材を含んでいる。枠体４は、例えば、クッション体２に接着又は縫着により取り付けられている。このような枠体４は、柔軟性を有しているので、クッション体２の弾性変形に追従することができる。また、布材は、軽量であるので、マット１の重量が増加するおそれがない。また、布材が低通気性又は非通気性である場合、枠体４は、軽量で柔軟性を有する布材で端面２ｂの空気の流通を抑制できるので、使用者が使用時に違和感なくクッション体２の内部の空気の流通を効率化させることができる。
【００３４】
枠体４は、カバー体５の内面よりも、表面の摩擦抵抗が小さい材料から構成されるのが望ましい。本実施形態の枠体４は、表面の摩擦抵抗が小さい布材を含んでいる。このような枠体４は、カバー体５に枠体４を含むクッション体２を収納する場合にも、樹脂繊維の端部が引っかかるおそれがなく、スムーズに収納させることができる。
【００３５】
枠体４は、例えば、発泡樹脂（図示省略）を含んでいてもよい。発泡樹脂は、例えば、枠体４の端面被覆部４ａを構成する布材の外側に配されている。このような枠体４は、発泡樹脂の角部をスロープ上にすることで、クッション体２の段差を緩和することができ、使用者の快適性をより向上させることができる。また、この枠体４は、樹脂繊維の端部の飛び出しを確実に抑制することにも役立つ。
【００３６】
発泡樹脂は、例えば、ポリウレタンを含んでいる。このような枠体４は、その弾性をクッション体２の弾性に近似させることができるので、使用者が使用時に違和感なく使用することができる。
【００３７】
図１及び図２に示されるように、枠体４は、上面２ａの少なくとも一部を覆う上面被覆部４ｂを含むのが望ましい。上面被覆部４ｂは、例えば、端面被覆部４ａに連続的に接続されている。本実施形態の上面被覆部４ｂは、略一定の幅を有している。このような枠体４は、クッション体２の上面２ａと端面２ｂとの角部で発生する樹脂繊維の端部の飛び出しを効果的に抑制することができる。
【００３８】
枠体４は、下面２ｃの少なくとも一部を覆う下面被覆部４ｃを含むのが望ましい。下面被覆部４ｃは、例えば、端面被覆部４ａに連続的に接続されている。本実施形態の下面被覆部４ｃは、略一定の幅を有している（図示省略）。このような枠体４は、クッション体２の下面２ｃと端面２ｂとの角部で発生する樹脂繊維の端部の飛び出しを効果的に抑制することができる。
【００３９】
本実施形態のクッション体２は、上面２ａと下面２ｃとが略同一の構成を有している。このため、本実施形態のマット１は、上面２ａと下面２ｃとの区別がなく、どちらの面にも使用者が横たわって使用することができる。
【００４０】
マット１は、例えば、上面２ａ及び下面２ｃのいずれか一方にヒーター（図示省略）が設けられていてもよい。このようなマット１は、寒い環境下では、ヒーターの配されている面に横たわることで、いつでも快適に使用することができる。
【００４１】
図３は、第２の実施形態のマット１０の斜視図であり、図４は、図３のＡ−Ａ線の断面図である。上述の実施形態と同一の機能を有する構成要素は、同一の符号が付され、その説明が省略される。図３及び図４に示されるように、第２の実施形態のマット１０は、クッション体２と、ファン装置３と、クッション体２を覆う枠体１１と、クッション体２を収容するカバー体５とを含んでいる。このようなマット１０は、上述のマット１と同様、クッション体２の内部に空気を流通させることができ、マット１０に横たわる使用者の快適性を向上させることができる。
【００４２】
枠体１１は、上述の枠体４と同様、低通気性又は非通気性の布材を含むのが望ましい。このような枠体１１は、上述の枠体４と同様、軽量で柔軟性を有する布材でクッション体２の空気の流通を規制できるので、使用者が使用時に違和感なくクッション体２の内部の空気の流通を効率化させることができる。
【００４３】
枠体１１は、上述の枠体４と同様、表面の摩擦抵抗が小さい布材を含むのが望ましい。このような枠体１１は、上述の枠体４と同様、カバー体５に枠体１１を含むクッション体２を収納する場合にも、樹脂繊維の端部が引っかかるおそれがなく、スムーズに収納させることができる。
【００４４】
第２の実施形態の枠体１１は、上述の枠体４と同様、端面２ｂの少なくとも一部を覆う端面被覆部１１ａと、上面２ａの少なくとも一部を覆う上面被覆部１１ｂと、下面２ｃの少なくとも一部を覆う下面被覆部１１ｃとを含んでいる。このような枠体１１は、上述の枠体４と同様、クッション体２を構成する樹脂繊維の端部の飛び出しを効果的に抑制することができる。
【００４５】
端面被覆部１１ａは、例えば、端面２ｂのファン装置３が取り付けられた部分以外の全域を覆っている。上面被覆部１１ｂは、例えば、上面２ａの第３端面２ｂ３の側に設けられた開口部２ｄ以外の部分を覆っている。下面被覆部１１ｃは、例えば、下面２ｃの全域を覆っている。このような枠体１１は、クッション体２の内部に、開口部２ｄからファン装置３に至る空気の流路を形成することができ、使用者の快適性をより向上させることができる。
【００４６】
第２の実施形態の開口部２ｄとファン装置３とは、使用者が上面２ａに横たわったときの両側方の対向する位置に配されている。このような枠体１１は、空気の流路を上面２ａの全域に形成することができ、上面２ａの温度分布を一律にすることに役立つ。
【００４７】
第２の実施形態の開口部２ｄは、第３端面２ｂ３に沿ってのびる矩形状に形成されている。このような開口部２ｄは、その一部が寝具等により塞がれた場合であっても、残りの開口部２ｄにより空気を流通させることができる。
【００４８】
図５は、第３の実施形態のマット２０の斜視図である。上述の実施形態と同一の機能を有する構成要素は、同一の符号が付され、その説明が省略される。図３に示されるように、第３の実施形態のマット２０は、空気の流路を有するクッション体２１と、空気を流通させるファン装置２２と、クッション体２１を覆う枠体２３と、クッション体２１を収容するカバー体２４とを含んでいる。このようなマット２０は、上述のマット１と同様、クッション体２１の内部に空気を流通させることができ、マット２０に横たわる使用者の快適性を向上させることができる。
【００４９】
第３の実施形態のクッション体２１は、上述のクッション体２と同様、樹脂繊維で形成されている。このようなクッション体２１は、適度な弾性を有しつつ、空気の流路を形成することができ、使用者の快適性を向上させることができる。
【００５０】
第３の実施形態のクッション体２１は、上述のクッション体２と同様、使用者が横たわるための上面２１ａと、上面２１ａに交差する向きに延びる端面２１ｂと、上面２１ａの反対側の下面２１ｃとを含んでいる。このようなクッション体２１は、端面２１ｂの厚さにより、良好な弾性を確保することができ、使用者の快適性をより向上させることができる。
【００５１】
第３の実施形態の上面２１ａには、上述の上面２ａと同様、クッション体２１の流路に空気を流通可能な開口部２１ｄが設けられている。開口部２１ｄは、上述の開口部２ｄと同様、上面２１ａのうち、枠体２３に覆われていない部分で構成されるのが望ましい。このような開口部２１ｄは、他の構成部材を必要とせず、クッション体２１の内部に空気の流路を形成することができる。
【００５２】
第３の実施形態のファン装置２２は、上述のファン装置３と同様、クッション体２１の流路の空気を吸引、又は流路に空気を供給している。第３の実施形態のファン装置２２は、クッション体２１の角部に設けられている。このようなファン装置２２は、使用者が使用する寝具等により覆われるおそれが小さく、また、使用者が横たわったときの頭部付近における作動音が小さく、使用者の快適性をより向上させることができる。
【００５３】
枠体２３は、上述の枠体４と同様、低通気性又は非通気性の布材を含むのが望ましい。このような枠体２３は、上述の枠体４と同様、軽量で柔軟性を有する布材でクッション体２の空気の流通を規制できるので、使用者が使用時に違和感なくクッション体２の内部の空気の流通を効率化させることができる。
【００５４】
枠体２３は、上述の枠体４と同様、表面の摩擦抵抗が小さい布材を含むのが望ましい。このような枠体２３は、上述の枠体４と同様、カバー体２４に枠体２３を含むクッション体２１を収納する場合にも、樹脂繊維の端部が引っかかるおそれがなく、スムーズに収納させることができる。
【００５５】
第３の実施形態の枠体２３は、上述の枠体４と同様、端面２１ｂの少なくとも一部を覆う端面被覆部２３ａと、上面２１ａの少なくとも一部を覆う上面被覆部２３ｂと、下面２１ｃの少なくとも一部を覆う下面被覆部２３ｃとを含んでいる。このような枠体２３は、上述の枠体４と同様、クッション体２１を構成する樹脂繊維の端部の飛び出しを効果的に抑制することができる。
【００５６】
端面被覆部２３ａは、例えば、端面２１ｂのファン装置２２が取り付けられた部分以外の全域を覆っている。上面被覆部２３ｂは、例えば、上面２１ａの一部に設けられた開口部２１ｄ以外の部分を覆っている。下面被覆部２３ｃは、例えば、下面２１ｃの全域を覆っている（図示省略）。このような枠体２３は、クッション体２１の内部に、開口部２１ｄからファン装置２２に至る空気の流路を形成することができ、使用者の快適性をより向上させることができる。
【００５７】
第３の実施形態の開口部２１ｄとファン装置２２とは、上面２１ａの側から見たとき、上面２１ａの対角線上で対向する位置に配されている。開口部２１ｄは、例えば、三角形状に形成されている。このような枠体２３は、開口部２１ｄが小さいのでクッション体２の内部に流通する空気の流速を向上させ、より効率よく空気を流通させることができる。また、この開口部２１ｄは、使用者が横たわったときの頭部側の角部に形成されているので、使用者の使用する寝具等により塞がれるおそれが小さく、より効率よく空気を流通させることができる。
【００５８】
以上、本発明の特に好ましい実施形態について詳述したが、本発明は図示の実施形態に限定されることなく、種々の態様に変形して実施し得る。
【００５９】
例えば、上述の実施形態の開口部は、１つ設けられていたが、開口部は、複数設けられていてもよい。また、上述の実施形態の開口部は、矩形状又は三角形状に形成されていたが、開口部の形状は、これらに限定されるものではなく、円形、楕円形、多角形状等、任意の形状を適宜採用することができる。
【符号の説明】
【００６０】
１    マット
２    クッション体
２ａ  上面
２ｂ  端面
３    ファン装置
４    枠体
４ａ  端面被覆部
【図１】
2020185350.tif 000002
【図２】
2020185350.tif 000003
【図３】
2020185350.tif 000004
【図４】
2020185350.tif 000005
【図５】
2020185350.tif 000006